(57)【要約】      （修正有）【課題】沈香圧密木には型によって定形された沈香が嵌め込まれており、自然状態で圧密木に嵌め込まれた沈香に比べて、本考案が提供する沈香圧密木に嵌め込まれた沈香は一定した形状があり、より美しい、型を用いて製造した沈香圧密木を提供する。【解決手段】この沈香圧密木は沈香圧密木本体１と、沈香圧密木本体内に嵌め込められ、沈香圧密木本体に固定的に接続される少なくとも１つの型２と、型内に充填され、型に固定的に接続される沈香３とを含む。本考案が提供する沈香圧密木には、型によって定形された沈香が嵌め込まれている。この沈香圧密木はベッドのヘッドボードや寝室用タンスの製造などに、広く適応することができる。【選択図】図１
0003233802.tif 000002
【実用新案登録請求の範囲】
【請求項１】
沈香圧密木本体（１）と、前記沈香圧密木本体（１）内に嵌め込まれ、前記沈香圧密木本体（１）に固定的に接続される少なくとも１つの型（２）と、前記型（２）内に充填され、前記型（２）に固定的に接続される沈香（３）とを含むことを特徴とする、型を用いて製造した沈香圧密木。
【請求項２】
前記型（２）は筒状型であり、前記沈香圧密木本体（１）と前記型（２）は締まり嵌めされ、前記型（２）と前記沈香（３）は締まり嵌めされることを特徴とする、請求項１に記載の型を用いて製造した沈香圧密木。
【請求項３】
前記型（２）と前記沈香（３）との間には樹脂層（７）が設けられていることを特徴とする、請求項１に記載の型を用いて製造した沈香圧密木。
【請求項４】
前記型（２）の筒壁には、前記沈香圧密木本体（１）と型（２）と、及び前記型（２）と前記沈香（３）との間の摩擦力を高めるための摩擦部（１０）が設けられていることを特徴とする、請求項１に記載の型を用いて製造した沈香圧密木。
【請求項５】
前記型（２）の内筒壁と外筒壁に設けられている摩擦面は摩擦部（１０）をなすことを特徴とする、請求項４に記載の型を用いて製造した沈香圧密木。
【請求項６】
前記型（２）の筒壁に設けられている複数の第一貫通孔（４）領域は摩擦部（１０）をなし、前記沈香（３）の円周側壁には前記第一貫通孔（４）に入る凸部（５）が一体成形されていることを特徴とする、請求項４に記載の型を用いて製造した沈香圧密木。
【請求項７】
前記沈香圧密木本体（１）の前記型（２）に隣接する側壁には前記凸部（５）を入らせるための凹部（６）が設けられており、前記凸部（５）は前記第一貫通孔（４）を通り抜けて前記凹部（６）に入ることを特徴とする、請求項６に記載の型を用いて製造した沈香圧密木。
【請求項８】
前記摩擦部（１０）はさらに複数の延伸部（８）を含み、前記延伸部（８）は前記第一貫通孔（４）の側壁に接続され、前記凸部（５）は前記第一貫通孔（４）から延出して前記延伸部（８）に接触し、前記凸部（５）と前記延伸部（８）は前記凹部（６）内にあることを特徴とする、請求項６に記載の型を用いて製造した沈香圧密木。
【請求項９】
前記延伸部（８）には第二貫通孔（９）が設けられており、前記凸部（５）はそれぞれ前記第一貫通孔（４）と前記第二貫通孔（９）を通り抜けて前記凹部（６）に入ることを特徴とする、請求項８に記載の型を用いて製造した沈香圧密木。
【請求項１０】
前記型（２）は多角形筒であり、好ましくは円筒であり、前記型（２）は硬質型であり、好ましくは硬質金型であることを特徴とする、請求項２に記載の型を用いて製造した沈香圧密木。
【考案の詳細な説明】
【技術分野】
【０００１】
本考案は木型材の技術分野に属し、特に型を用いて製造した沈香圧密木に関する。
【背景技術】
【０００２】
沈香は香りが上品で非常に得難い香木で、古くから最上の香木とされている。心を落ち着かせる効果があるため、長時間着用すると大きなメリットがある。しかし、沈香木は密度が小さいため、一般的には圧密化してから使用する必要がある。また、ベッドのヘッドボードとして使用できる。沈香と沈香木を組み合わせることが望まれているが、沈香の形がそれぞれ異なるため、沈香木と組み合わせたとしても一定した形がない。
【考案の概要】
【課題を解決するための手段】
【０００３】
以上の技術的課題を解決するために、本考案は型を用いて製造した沈香圧密木を提供する。本考案の具体的な技術的解決手段は次のとおりである。
【０００４】
本考案は型を用いて製造した沈香圧密木を提供する。この沈香圧密木は沈香圧密木本体と、沈香圧密木本体内に嵌め込められ、沈香圧密木本体に固定的に接続される少なくとも１つの型と、型内に充填され、型に固定的に接続される沈香とを含む。
【０００５】
本考案に使用される沈香及び沈香木は、「ＬＹ／Ｔ  ２９０４−２０１７  沈香」の要件を満たす限り、人工栽培、又は野生のものを使用することができる。すなわち、沈香はジンコウ属の樹種が成長中に形成した、木部組織とその分泌物によって構成された天然混合物質であり、沈香木はジンコウ属の樹種の木部組織である。
【０００６】
さらに、型は筒状型であり、沈香圧密木本体と型は締まり嵌められ、型と沈香は締まり嵌められる。
【０００７】
さらに、型と沈香との間には樹脂層が設けられている。
【０００８】
さらに、型の筒壁には沈香圧密木本体と型と、及び型と沈香との間の摩擦力を高めるための摩擦部が設けられている。
【０００９】
さらに、型の内筒壁と外筒壁に設けられている摩擦は摩擦部をなす。
【００１０】
さらに、型の筒壁に設けられている複数の第一貫通孔領域は摩擦部をなし、沈香の円周側壁には第一貫通孔に入る凸部は一体成形されている。
【００１１】
さらに、沈香圧密木本体の型と隣接する側壁には凸部を入らせるための凹部が設けられており、凸部は第一貫通孔を通り抜けて凹部に入る。
【００１２】
さらに、摩擦部はさらに複数の延伸部を含み、各延伸部は第一貫通孔の側壁に接続され、凸部は第一貫通孔から延出して延伸部に接触し、凸部と延伸部は凹部内にある。
【００１３】
さらに、延伸部には第二貫通孔が設けられており、凸部はそれぞれ第一貫通孔と第二貫通孔を通り抜けて凹部に入る。
【００１４】
さらに、型は多角形筒であり、好ましくは円筒である。
【００１５】
さらに、型は硬質型であり、好ましくは硬質金型である。
【考案の効果】
【００１６】
本考案の有益な効果は次のとおりである。本考案が提供する沈香圧密木には型によって定形された沈香が嵌め込まれており、自然状態で圧密木に嵌め込まれた沈香に比べて、本考案が提供する沈香圧密木に嵌め込まれた沈香は一定した形状があり、より美しい。
【図面の簡単な説明】
【００１７】
【図１】例における型を用いて製造した沈香圧密木の正面図である。
【図２】例における型を用いて製造した沈香圧密木の正面図である。
【図３】例における型を用いて製造した沈香圧密木の断面図である。
【図４】例における型を用いて製造した沈香圧密木の一部の俯瞰図である。
【図５】例における型の構造概略図である。
【図６】例における型の構造概略図である。
【図７】例における型の構造概略図である。
【図８】例における型の構造概略図である。
【図９】例における型の断面図である。
【考案を実施する形態】
【００１８】
以下、図面と以下の実施例に基づいて本考案をさらに詳細に説明する。
【００１９】
いくつかの実施例において、沈香圧密木は沈香圧密木本体１と、沈香圧密木本体１内に嵌め込められ、沈香圧密木本体１に固定的に接続される少なくとも１つの型２と、型２内に充填され、型に固定的に接続される沈香３とを含む。型２は多角形筒であり、好ましくは円筒である。型２は硬質型であり、好ましくは鉄、鋼などの硬質金型である。型の上部と下部は開口構造である。
【００２０】
該沈香圧密木は製造方法が簡単である。沈香木を上下にある２つの押圧板の間に置き、次に沈香木の上に型を置き、さらに型内に沈香を置くことができ、このとき押圧板を起動して圧密化することができる。型の形は制限されず、ハート型、花型、足型などであってもよい。図１は花型である。型と沈香の高さが圧密木の厚さより低く、圧密後の圧密木の厚さが圧密前の沈香木の厚さより小さいことが好ましい。例えば、沈香木の厚さが１０ｃｍ、沈香の最大外径が４ｃｍ、型の高さが２ｃｍであり、圧密後、圧密木の厚さが６ｃｍである。圧密後、沈香木と型は締まり嵌められ、型と沈香は締まり嵌められ、沈香は沈香木内に嵌め込まれる。製造するとき、まず沈香を型内に置き、次に内部に沈香のある型を沈香木の上面に置き、さらに高周波圧密技術でこの３つの部材を圧密化することができる。圧縮率は具体的な状況に応じて調整することができる。これによって型と沈香の締まり嵌めが実現される。本実施例の沈香圧密木には型によって定形された沈香が嵌め込まれており、直接圧密木に嵌め込まれた沈香に比べて、本考案が提供する沈香圧密木に嵌め込まれた沈香は、形状が一定しており、より美しい。この沈香圧密木はベッドのヘッドボード又は寝室用タンスの製造などに、広く適用することができ、製造方法も簡単である。
【００２１】
いくつかの実施例において、図２に示される、本考案の型を用いて製造した沈香圧密木の正面図のように、型２と沈香３との間には樹脂層７が設けられている。樹脂層はＰＶＢフィルムであり、上海美邦塑膠有限公司から購入される。製造するときは、まず各部材を配置する。まず板材上に型を置き、次にＰＶＢフィルムを型内に置き（ＰＶＢフィルムの形状と大きさは型の形状と大きさに応じてカットできる）、さらに型内に沈香を入れ、ＰＶＢフィルムが沈香と板材との間にあるようにする。また、まず板材上にフィルムを敷き、次にＰＶＢフィルム上に沈香を置き、さらに型を沈香に被装する（ＰＶＢフィルムの厚さと大きさは具体的な状況に応じて調整することができる）。配置した後に高周波で加熱するとＰＶＢフィルムが溶融し、圧縮した後に硬化し、冷却し、バランスと取ると、沈香圧密木が得られる。樹脂層を設けることにより、沈香と模との間に接着力が発生し、従って沈香と型の接続がより強くなる。
【００２２】
いくつかの実施例において、図３に示される、型を用いて製造した沈香圧密木の断面図のように、型２の内筒壁と外筒壁に設けられている摩擦面は摩擦部４をなし、型２の筒壁に設けられている複数の第一貫通孔４は摩擦部１０をなし、沈香３の円周側壁には第一貫通孔４に入る凸部５が一体成形されている。ここで、図６には本実施例における型の構造概略図が示されている。型の側壁には第一貫通孔穿設されている。凸部と第一貫通孔によって、沈香が沈香木内により強固に固定される。製造するとき、沈香木上に置かれている型に直接第一貫通孔を穿設することができる。沈香の密度が沈香木の密度より大きいため、圧密化されるとき、沈香の一部は直接型内に嵌め込まれ、製造方法としては型に第一貫通孔を穿設すればよく、他のプロセスを必要としない。沈香における凸部は型を通り抜けて沈香木内に入り、沈香と沈香木の接続がより強固になり、製造方法としては圧縮率を増やせばよく、非常に操作しやすい。
【００２３】
いくつかの実施例において、図４に示される、型を用いて製造した沈香圧密木の一部の断面図のように、沈香圧密木本体１の型２に隣接する側壁には凸部５を入らせるための凹部６が設けられており、凸部５は第一貫通孔４を通り抜けて凹部６に入る；本例における沈香圧密木の沈香本体にある凸部が型にある第一貫通孔を介して圧密木本体にある凹部に入ることにより、両者が結合する緊密さがさらに向上し、製造方法としては、圧縮率を高めて、第一貫通孔を介して沈香本体にある凸部を圧密木本体内に挿入すればよい。
【００２４】
いくつかの実施例において、図５に示される、型の構造概略図のように、型２の内筒壁と外筒壁に設けられている摩擦面は摩擦部１０をなす。型の内筒壁と外筒壁に摩擦面を設けることにより、型と沈香及び圧密木本体との間の摩擦力が向上し、３つの部材の接続がより強固になる。
【００２５】
いくつかの実施例において、図７に示される、型の構造概略図のように、摩擦部１０はさらに複数の延伸部８を含み、延伸部８は第一貫通孔４の側壁に接続され、凸部５は第一貫通孔４から延出して延伸部８に接触し、凸部５と延伸部８は凹部６内にある。延伸部と第一貫通孔の一部の側壁は一体成形されており、加圧において、型にある延伸部は圧密木本体内に挿入することができ、それによって、圧密において、沈香本体の凸部が簡単に形成されて、圧密木に形成された凹部内に入る。
【００２６】
いくつかの実施例において、図９に示される、型の断面図のように、延伸部８の頂端には開口１１が設けられている。型の引抜き方向への跳ね返りを防止するために、一部の木材は延伸部の頂部にある開口内に嵌め込まれる。
【００２７】
いくつかの実施例において、図８に示される、型を用いて製造した沈香圧密木の構造概略図のように、沈香と圧密木との間の付着力をさらに高めるために、延伸部８には第二貫通孔９が設けられており、凸部５はそれぞれ第一貫通孔４と第二貫通孔９を通り抜けて凹部６に入る。第二貫通孔は延伸部に設けられる孔であり、それによって、沈香が第一貫通孔に圧入されると同時に、第二貫通孔内にも圧入され、沈香と型の接続がより強固になる。
【００２８】
本考案の図面に示される各設備の間の接続関係は、その情報交換及び制御過程を明瞭に説明するためのものであり、論理的な接続関係とみなされるべきであり、物理的な接続に限定されるべきではない。本考案は上記最適な実施形態に限定されるものではない。当然のことながら、本考案の示唆に基づいて他の様々な形式の製品を得ることができるが、その形状又は構造にいかなる変化があっても、本出願と同一又は類似する技術的解決手段があれば、本考案の保護範囲に含まれる。
【図１】
0003233802.tif 000003
【図２】
0003233802.tif 000004
【図３】
0003233802.tif 000005
【図４】
0003233802.tif 000006
【図５】
0003233802.tif 000007
【図６】
0003233802.tif 000008
【図７】
0003233802.tif 000009
【図８】
0003233802.tif 000010
【図９】
0003233802.tif 000011
【手続補正書】
【提出日】令和3年6月28日(2021.6.28)
【手続補正１】
【補正対象書類名】実用新案登録請求の範囲
【補正対象項目名】全文
【補正方法】変更
【補正の内容】
【実用新案登録請求の範囲】
【請求項１】
沈香圧密木本体（１）と、前記沈香圧密木本体（１）内に嵌め込まれ、前記沈香圧密木本体（１）に固定的に接続される少なくとも１つの型（２）と、前記型（２）内に充填され、前記型（２）に固定的に接続される沈香（３）とを含むことを特徴とする、型を用いて製造した沈香圧密木。
【請求項２】
前記型（２）は筒状型であり、前記沈香圧密木本体（１）と前記型（２）は締まり嵌めされ、前記型（２）と前記沈香（３）は締まり嵌めされることを特徴とする、請求項１に記載の型を用いて製造した沈香圧密木。
【請求項３】
前記型（２）と前記沈香（３）との間には樹脂層（７）が設けられていることを特徴とする、請求項１に記載の型を用いて製造した沈香圧密木。
【請求項４】
前記型（２）の筒壁には、前記沈香圧密木本体（１）と型（２）と、及び前記型（２）と前記沈香（３）との間の摩擦力を高めるための摩擦部（１０）が設けられていることを特徴とする、請求項１に記載の型を用いて製造した沈香圧密木。
【請求項５】
前記型（２）の内筒壁と外筒壁に設けられている摩擦面は摩擦部（１０）をなすことを特徴とする、請求項４に記載の型を用いて製造した沈香圧密木。
【請求項６】
前記型（２）の筒壁に設けられている複数の第一貫通孔（４）領域は摩擦部（１０）をなし、前記沈香（３）の円周側壁には前記第一貫通孔（４）に入る凸部（５）が一体成形されていることを特徴とする、請求項４に記載の型を用いて製造した沈香圧密木。
【請求項７】
前記沈香圧密木本体（１）の前記型（２）に隣接する側壁には前記凸部（５）を入らせるための凹部（６）が設けられており、前記凸部（５）は前記第一貫通孔（４）を通り抜けて前記凹部（６）に入ることを特徴とする、請求項６に記載の型を用いて製造した沈香圧密木。
【請求項８】
前記摩擦部（１０）はさらに複数の延伸部（８）を含み、前記延伸部（８）は前記第一貫通孔（４）の側壁に接続され、前記凸部（５）は前記第一貫通孔（４）から延出して前記延伸部（８）に接触し、前記凸部（５）と前記延伸部（８）は前記凹部（６）内にあることを特徴とする、請求項７に記載の型を用いて製造した沈香圧密木。
【請求項９】
前記延伸部（８）には第二貫通孔（９）が設けられており、前記凸部（５）はそれぞれ前記第一貫通孔（４）と前記第二貫通孔（９）を通り抜けて前記凹部（６）に入ることを特徴とする、請求項７に記載の型を用いて製造した沈香圧密木。
【請求項１０】
前記型（２）は円筒であり、前記型（２）は硬質金型であることを特徴とする、請求項２に記載の型を用いて製造した沈香圧密木。